(57)【要約】【課題】本発明は車載用電子機器に関するもので、設置スペースを小さくするとともに、車両制御に対する信頼性の低下を防止することを目的とするものである。  【解決手段】そして、この目的を達成するために本発明は、オーディオ再生部２と、このオーディオ再生部２の上面側、あるいは下面側に積層配置された携帯機器用充電部３とを備え、前記携帯機器用充電部３は、そのオーディオ再生部２側に充電コイル４を配置し、この充電コイル４と前記オーディオ再生部２間には、シールド部材５を配置した。【選択図】図２
2012186933.tif 000002
【特許請求の範囲】
【請求項１】
オーディオ再生部と、このオーディオ再生部の上面側、あるいは下面側に積層配置された携帯機器用充電部とを備え、前記携帯機器用充電部は、そのオーディオ再生部側に充電コイルを配置し、この充電コイルと前記オーディオ再生部間には、シールド部材を配置した車載用電子機器。
【請求項２】
前記オーディオ再生部と前記携帯機器用充電部の外装はともに、金属ケースにより構成した請求項１に記載の車載用電子機器。
【請求項３】
前記携帯機器用充電部は、携帯機器を挿入する開口部を有し、この開口部の近傍に、携帯機器用のアンテナを配置した請求項１または２に記載の車載用電子機器。
【請求項４】
オーディオ再生部と、このオーディオ再生部の上面側に積層配置された携帯機器用充電部とを備え、前記携帯機器用充電部は、そのオーディオ再生部側に充電コイルを配置し、この充電コイルと前記オーディオ再生部間に、シールド部材を配置するとともに、前記充電コイルの下方に携帯機器の支持台を配置し、この支持台は前記充電コイル側に付勢した車載用電子機器。
【請求項５】
前記オーディオ再生部と前記携帯機器用充電部の外装はともに、金属ケースにより構成した請求項４に記載の車載用電子機器。
【請求項６】
前記携帯機器用充電部は、携帯機器を挿入する開口部を有し、この開口部の近傍に、携帯機器用のアンテナを配置した請求項４または５に記載の車載用電子機器。
【発明の詳細な説明】
【技術分野】
【０００１】
本発明は、車両に搭載される車載用電子機器に関する。
【背景技術】
【０００２】
携帯機器の普及にともない、この携帯機器の充電が車内でも行えるようにした車載用充電装置が提案されている（例えば下記特許文献１）。
【０００３】
すなわち、この車載用充電装置は、一面が開口部となったケースと、このケースの前記開口部を開閉自在に覆った蓋体と、この蓋体に対向する前記ケース内面部分に配置された充電コイルとを備えた構成となっている。
【０００４】
そして、この車載用充電装置を用いて携帯機器の充電を行う時には、ケース内に携帯機器を収納させ、車載用充電装置の充電コイルと、携帯機器の充電コイルを対向させることで、磁束による電力供給を行うようにしている。
【先行技術文献】
【特許文献】
【０００５】
【特許文献１】特開平４−３１７５２７号公報
【発明の概要】
【発明が解決しようとする課題】
【０００６】
前記従来例における課題は、車載用充電装置の設置場所が新たに必要になるだけでなく、その設置場所によっては車両制御、例えばドアの開閉制御に対する信頼性を低くする虞があると言うことであった。
【０００７】
すなわち、近年の車両は、ドアを開閉させるために、いわゆる、キーレスエントリ制御を行っており、このキーレスエントリ制御はリモコンキーと、車両の送受信機との間で無線交信することでドアの開閉を行うようになっている。
【０００８】
この場合、車内で車載用充電装置による携帯機器への充電を行っていると、その充電コイルから発せられる電磁波が、前記リモコンキーと、車両の送受信機との間で行われている無線交信に影響を与え、その結果として、ドアの開閉制御に対する信頼性が低くなってしまうことがあるのである。
【０００９】
そこで、本発明は、設置スペースを小さくするとともに、車両制御に対する信頼性の低下を防止することを目的とするものである。
【課題を解決するための手段】
【００１０】
そしてこの目的を達成するために本発明は、オーディオ再生部と、このオーディオ再生部の上面側、あるいは下面側に積層配置された携帯機器用充電部とを備え、前記携帯機器用充電部は、そのオーディオ再生部側に充電コイルを配置し、この充電コイルと前記オーディオ再生部間には、シールド部材を配置し、これにより所期の目的を達成するものである。
【発明の効果】
【００１１】
以上のように本発明は、オーディオ再生部と、このオーディオ再生部の上面側、あるいは下面側に積層配置された携帯機器用充電部とを備え、前記携帯機器用充電部は、そのオ
ーディオ再生部側に充電コイルを配置し、この充電コイルと前記オーディオ再生部間には、シールド部材を配置したものであるので、設置スペースを小さくすることができ、しかも、車両制御に対する信頼性の低下を防止することができる。
【００１２】
すなわち、本発明においては、オーディオ再生部の上面側、あるいは下面側に携帯機器用充電部を積層配置したものであるので、オーディオ再生部の設置場所を活用して前記携帯機器用充電部を設置することが出来、その結果として設置スペースを小さくすることができる。
【００１３】
また、携帯機器用充電部の充電コイルは、オーディオ再生部側に配置するとともに、この充電コイルと前記オーディオ再生部間には、シールド部材を配置したものであるので、充電コイルからの磁束が外部に漏洩しにくく、その結果として、車両制御に対する信頼性の低下を防止することもできる。
【図面の簡単な説明】
【００１４】
【図１】本発明の実施の形態１にかかる車載用電子機器の斜視図
【図２】同正面図（携帯機器用充電部３側は透視した状態）
【図３】本発明の実施の形態２にかかる車載用電子機器の正面図
【図４】本発明の実施の形態３にかかる車載用電子機器の正面図（携帯機器用充電部３側は透視した状態）
【発明を実施するための形態】
【００１５】
以下、本発明の一実施の形態を、図面を用いて説明する。
（実施の形態１）
図１において、１は車両の例えばコンソールボックスに設置される車載用電子機器の本体ケースを示している。
【００１６】
この本体ケース１は、全体として金属ケースによって形成されており、その内部下方にはオーディオ再生部２が配置され、また、このオーディオ再生部２の上面側には、携帯機器用充電部３が積層配置されている。
【００１７】
携帯機器用充電部３は、図２からも理解されるように、そのオーディオ再生部２側に平板状の充電コイル４が配置されており、この充電コイル４とオーディオ再生部２間には、平板状で、充電コイル４よりも大きな面積のシールド部材５が配置されている。
【００１８】
また、携帯機器用充電部３の前方側の本体ケース１には、携帯機器６を、この携帯機器用充電部３側に挿入する開口部７が設けられている。
【００１９】
つまり、携帯機器６の充電を行う時には、携帯機器６を、図１の開口部７から図２のごとく携帯機器用充電部３側に挿入し、携帯機器用充電部３の充電コイル４と、携帯機器６の充電コイル８を対向させる。
【００２０】
そして、この状態で、携帯機器用充電部３の充電コイル４から、携帯機器６の充電コイル８へと磁束を流し、これによって携帯機器６の充電を行う。
【００２１】
このとき、携帯機器用充電部３は金属ケースによって形成された本体ケース１内に収納され、しかもその充電コイル４は、オーディオ再生部２側に配置され、さらに、この充電コイル４とオーディオ再生部２間には、シールド部材５を配置したものであるので、充電コイル４からの磁束が本体ケース１外部に漏洩しにくくなり、その結果として、車両制御に対する信頼性の低下を防止することができる。
【００２２】
また、本体ケース１内において、充電コイル４とオーディオ再生部２間には、シールド部材５を配置したものであるので、充電コイル４からオーディオ再生部２側への磁束漏洩もしにくくなり、その結果として、オーディオ再生部２の動作に対する信頼性の低下を防止することができる。
（実施の形態２）
図３は実施の形態１において、携帯機器用充電部３の前方に設けた携帯機器６挿入用の開口部７の近傍に、携帯機器６用のアンテナ９を配置したものである。
【００２３】
具体的には、本体ケース１の開口部７の内側で、この開口部７近傍にアンテナ９を配置したものである。
【００２４】
このため、本体ケース１内の携帯機器用充電部３において、図２のごとく携帯機器６の充電を行っている状態でも、この携帯機器６に対する交信が行えるようになるのである。（実施の形態３）
図４は本発明の実施の形態３を示し、この実施形態では、このオーディオ再生部２の下面側に、携帯機器用充電部３を積層配置したものであり、この図４では図示していないが、本体ケース１下方に開口部７が設けられる。
【００２５】
また、本実施形態では、携帯機器用充電部３の充電コイル４は上方に配置された状態となるので、携帯機器６は、その充電コイル８を上向きとして前記開口部７から挿入される。
【００２６】
つまり、この実施形態では、携帯機器６が、携帯機器用充電部３の充電コイル４よりも下側に配置されるので、携帯機器６の自重でその充電コイル８を、携帯機器用充電部３の充電コイル４に接近させることが出来ない。
【００２７】
そこで、本実施形態では、携帯機器用充電部３において、充電コイル８の下方に支持台１０を配置し、この支持台１０はバネ１１によって上方、つまり充電コイル４側に付勢している。
【００２８】
このため、支持台１０に載った携帯機器６は、その充電コイル８、携帯機器用充電部３の充電コイル４に押し付けられた状態となり、両充電コイル４、８間の磁束伝達効率の良いものとなる。
【産業上の利用可能性】
【００２９】
以上のように本発明は、本発明においては、オーディオ再生部の上面側、あるいは下面側に携帯機器用充電部を積層配置したものであるので、オーディオ再生部の設置場所を活用して前記携帯機器用充電部を設置することが出来、その結果として設置スペースを小さくすることができる。
【００３０】
また、携帯機器用充電部の充電コイルは、オーディオ再生部側に配置するとともに、この充電コイルと前記オーディオ再生部間には、シールド部材を配置したものであるので、充電コイルからの磁束が外部に漏洩しにくく、その結果として、車両制御に対する信頼性の低下を防止することもできる。
【００３１】
したがって、本発明の車載用電子機器としての活用が期待されるものとなる。
【符号の説明】
【００３２】
１  本体ケース
２  オーディオ再生部
３  携帯機器用充電部
４  充電コイル
５  シールド部材
６  携帯機器
７  開口部
８  充電コイル
９  アンテナ
１０  支持台
１１  バネ
【図１】
2012186933.tif 000003
【図２】
2012186933.tif 000004
【図３】
2012186933.tif 000005
【図４】
2012186933.tif 000006